(57)【要約】  デブリフィルタ(20)は、間隔をあけて並んで配置された複数のプレート(26)を含み、それらプレート(26)の間が、デブリフィルタを貫通してデブリフィルタの下側入口面(22)から上側出口面(24)まで延びる流路(28)となり、各流路(28)は、入口セクション(40)および出口セクション(42)に対してずらされた中間セクション(44)を有する。本発明の一態様によると、少なくとも1つのプレート(26)には、プレート(26)に沿って配置されると共にプレート(26)によって画定された少なくとも1つの流路(28)の中に突出するデブリ捕獲構造部(46、60)が形成されている。
2014519032.tif 000002
【特許請求の範囲】
【請求項１】
原子炉設備のためのデブリフィルタ(20)であって、スクリーン形状であり、下側の入口面(22)および上側の出口面(24)を有し、間隔をあけて並んで配置された複数のプレート(26)を含み、前記複数のプレート(26)の間が、前記デブリフィルタを貫通して前記下側の入口面(22)から前記上側の出口面(24)まで延びる流路(28)となり、各流路(28)が、入口セクション(40)および出口セクション(42)に対してずらされた中間セクション(44)を有し、各プレート(26)が、前記入口面(22)から延びる下側部分(30)と、前記出口面(24)から延びる上側部分(32)と、前記下側部分(30)と前記上側部分(32)との間に延びる波形の中間部分(34)とを有し、隣接するプレート(26)の各々の前記中間部分(34)で中間セクション(44)を画定するタイプの前記デブリフィルタ(20)において、少なくとも1つのプレート(26)には、前記プレート(26)の前記下側部分(30)に沿って配置されると共に前記プレート(26)によって画定された少なくとも1つの流路(28)の中に突出する複数のデブリ捕獲構造部(46、60)が形成されている、デブリフィルタ。
【請求項２】
前記複数のデブリ捕獲構造部(46、60)は、上方へ向かって漸次細くなるデブリ捕獲空間(48、62)を形成する、請求項1に記載のデブリフィルタ。
【請求項３】
前記プレート(26)の隣接するデブリ捕獲構造部の対の各々は、上方へ向かって漸次細くなるデブリ捕獲空間(48)を形成する、請求項1または2に記載のデブリフィルタ。
【請求項４】
前記プレート(26)には、複数の羽根(46)のように設けられたデブリ捕獲構造部が形成されており、各羽根(46)は、前記プレート(26)に切り込みを入れて曲げたりねじったりしたものである、請求項1から3のいずれか一項に記載のデブリフィルタ。
【請求項５】
前記羽根(46)は、前記プレート(26)の下側の縁部に切り込みを入れたものである、請求項4に記載のデブリフィルタ。
【請求項６】
前記プレート(26)には、同じ方向にねじられた隣接する羽根(46)が形成されている、請求項4または5に記載のデブリフィルタ。
【請求項７】
前記プレート(26)には、一方向に曲げられたりねじられたりした羽根(46)と、その反対方向にそれぞれ曲げられたりねじられたりした羽根(46)とが、交互に形成されている、請求項4または5に記載のデブリフィルタ。
【請求項８】
前記プレート(26)には、前記プレート(26)に切り込みが入れられた複数の歯(60)のように設けられたデブリ捕獲構造部が形成されており、各歯(60)は、前記プレート(26)によって画定された流路(28)の内側へ斜めにかつ下方へ突出する、請求項1から3のいずれか一項に記載のデブリフィルタ。
【請求項９】
前記プレート(26)の一方側の面(36)から突出する歯(60)と、前記プレート(26)のその反対側の面(36)から突出する歯(60)とが、交互に設けられている、請求項8に記載のデブリフィルタ。
【請求項１０】
前記複数のプレート(26)間の間隔を維持するために、前記プレート(26)と交差する複数の接続ストリップ(50)を含む、請求項1から9のいずれか一項に記載のデブリフィルタ。
【請求項１１】
各プレート(26)は、前記プレート(26)の上側の縁部から延びる複数の接続スロット(52)を含み、各スロット(52)は、前記プレート(26)と交差する接続ストリップ(50)を受け入れる、請求項10に記載のデブリフィルタ。
【請求項１２】
各接続ストリップ(50)には、前記複数のプレート(26)の前記上側部分(32)間の間隔を維持するためのスペーサー手段(56、58)が形成されている、請求項10または11に記載のデブリフィルタ。
【請求項１３】
各接続ストリップ(50)には、前記接続ストリップ(50)の上側の縁部に切り込みが入れられた複数のスペーサータブ(56)が形成されており、各スペーサータブ(56)は、ねじられている、請求項10から12のいずれか一項に記載のデブリフィルタ。
【請求項１４】
各接続ストリップ(50)の下側の縁部には、複数の連結用スリット(54)が形成されており、前記複数の連結用スリット(54)はそれぞれ、前記プレート(26)のスロット(52)であって前記接続ストリップ(50)を受け入れるスロット(52)の閉じた下側端部に係合するためのものである、請求項10から13のいずれか一項に記載のデブリフィルタ。
【請求項１５】
燃料棒(4)の束および請求項1から14のいずれか一項に記載のデブリフィルタ(20)を含む核燃料アセンブリ(2)。
【発明の詳細な説明】
【技術分野】
【０００１】
本発明は、間隔をあけて並んで配置された複数のプレートを含み、複数のプレートの間が、デブリフィルタを貫通してデブリフィルタの下側入口面から上側出口面まで延びる流路となり、各流路が、入口セクションおよび出口セクションに対してずらされた中間セクションを有するタイプの原子炉設備のためのデブリフィルタに関する。
【背景技術】
【０００２】
軽水炉のための核燃料アセンブリは従来、互いに平行に延びる細長い燃料棒の束を含む。使用時には、燃料アセンブリは、原子炉炉心の中で鉛直方向に配向されて、クーラント流体が燃料棒の間で上方へ流れるようにする。
【０００３】
デブリは、クーラント流体中に存在し、燃料棒を損傷することもあり、それ故に燃料アセンブリまたは損傷した燃料棒を除去するまたは交換することを必要とする。周知の方法では、デブリトラップまたはフィルタが、デブリを捕捉するために燃料棒の束の上流に置かれる。
【０００４】
下記特許文献１は、波形状を有する複数のプレートを有し、複数のプレートの間が流路となるデブリフィルタを開示する。流路の湾曲は、デブリフィルタの流れ抵抗を制限しながらデブリを捕捉することを可能にする。
【０００５】
それにもかかわらず、流れ方向に垂直に配向された薄くかつ短いデブリは、フィルタを通り抜けることがあり、より長い柔軟な細長いデブリもまた、フィルタを通り抜けることがある。
【先行技術文献】
【特許文献】
【０００６】
【特許文献１】欧州特許出願公開第0455010号明細書
【発明の概要】
【発明が解決しようとする課題】
【０００７】
本発明の目的は、改善されたデブリ捕捉、すなわち例えば短いまたは柔軟なワイヤの形の薄いデブリの捕捉を可能にするデブリフィルタを提供することである。
【課題を解決するための手段】
【０００８】
この目的を達成するために、本発明は、少なくとも1つのプレートに、そのプレートに沿って配置されると共にプレートによって画定された少なくとも1つの流路の中に突出するデブリ捕獲構造部が形成される、上述のタイプのデブリフィルタを提案する。
【０００９】
他の実施形態では、デブリフィルタは、分離してまたは任意の技術的に実現可能な組合せで取り入れられる次の特徴の1つまたはいくつかを含む。
-  デブリ捕獲構造部は、上方へ向かって漸次細くなるデブリ捕獲空間を形成する。
-  プレートの隣接するデブリ捕獲構造部の対の各々は、上方へ向かって漸次細くなるデブリ捕獲空間を形成する。
-  プレートには、羽根（ベーン）のように設けられたデブリ捕獲構造部が形成されており、各羽根は、プレートに切り込みを入れて曲げたりねじったりしたものである。
-  羽根は、プレートの下側の縁部に切り込みを入れたものである。
-  プレートには、同じ方向にねじられた隣接する羽根が形成されている。
-  プレートには、一方向に曲げられたりねじられたりした羽根と、その反対方向にそれぞれ曲げられたりねじられたりした羽根とが、交互に形成されている。
-  プレートには、プレートに切り込みが入れられた複数の歯のように設けられたデブリ捕獲構造部が形成されており、各歯は、プレートによって画定された流路の内側へ斜めにかつ下方へ突出する。
-  デブリフィルタは、プレートの一方側の面から突出する歯と、プレートのその反対側の面から突出する歯とが、交互に設けられている。
-  上述のようなデブリフィルタは、複数のプレート間の間隔を維持するために、プレートと交差する複数の接続ストリップを含む。
-  各プレートは、プレートの上側の縁部から延びる複数の接続スロットを含み、各スロットは、プレートと交差する接続ストリップを受け入れる。
-  各接続ストリップには、前記複数のプレートの上側部分間の間隔を維持するためのスペーサー手段が形成されている。
-  各接続ストリップには、接続ストリップの上側の縁部に切り込みが入れられた複数のスペーサータブが形成されており、各スペーサータブは、ねじられている。
-  各接続ストリップの下側の縁部には、複数の連結用スリットが形成されており、複数の連結用スリットはそれぞれ、プレートのスロットであって接続ストリップを受け入れるスロットの閉じた下側端部に係合するためのものである。
【００１０】
本発明はまた、燃料棒の束および上述のように定義されたようなデブリフィルタを含む核燃料アセンブリにも関する。
【００１１】
本発明およびその利点は、単に例としておよび添付の図面を参照して与えられる次の説明を読むことでより良く理解されることになる。
【図面の簡単な説明】
【００１２】
【図１】本発明によるデブリフィルタを含む加圧水型原子炉核燃料アセンブリの部分的切り取り側面図である。
【図２】本発明によるデブリフィルタを含む沸騰水型原子炉核燃料アセンブリの部分的切り取り側面図である。
【図３】図4上でIII-IIIに沿った、図1および図2のデブリフィルタの拡大部分断面図である。
【図４】図3上でIV-IVに沿った、図1および図2のデブリフィルタの拡大部分断面図である。
【図５】図3および図4のデブリフィルタの底面図である。
【図６】デブリフィルタのアセンブリ前の、図3〜図5のデブリフィルタに対応するデブリフィルタの拡大部分断面図である。
【図７】デブリフィルタのアセンブリ前の、図3〜図5のデブリフィルタに対応するデブリフィルタの拡大部分断面図である。
【図８】図3および図4のデブリフィルタの部分上面図である。
【図９】代替実施形態の図4に類似の図である。
【図１０】別の代替実施形態の図5に類似の図である。
【図１１】別の代替実施形態の図3に類似の図である。
【図１２】別の代替実施形態の図4に類似の図である。
【発明を実施するための形態】
【００１３】
図1および図2で例示されるそれらのような核燃料アセンブリは、縦軸Lに沿って延びる。軸Lは、燃料アセンブリが原子炉の内部に配置されるとき鉛直方向に延びる。下記では、用語「上側の」および「下側の」は、原子炉での燃料アセンブリの位置について言及する。
【００１４】
図1で例示される核燃料アセンブリ2は、加圧水型原子炉(PWR)に適用される。それは、核燃料棒4の束および燃料棒4を支持するための構造物6を含む。
【００１５】
各燃料棒4は、管状被覆材、その被覆材中に積み重ねられた核燃料のペレット、および被覆材の上側端部および下側端部を閉じるキャップを含む。
【００１６】
構造物6は、下側ノズル8、上側ノズル10、複数のガイドチューブ12およびガイドチューブ12に沿って分配された支持用グリッド14を含む。
【００１７】
下側ノズル8および上側ノズル10は、縦軸Lに沿って互いに間隔をあけられる。
【００１８】
ガイドチューブ12は、下側ノズル8と上側ノズル10との間で縦方向に延び、ノズル8、10を接続する。ガイドチューブ12は、ノズル8、10間の所定の縦方向間隔を維持する。各ガイドチューブ12は、ガイドチューブ12の内部で下方への制御棒の挿入を可能にするために上方へ開く。
【００１９】
グリッド14は、ガイドチューブ12に沿って分配され、それらに接続される。燃料棒4は、グリッド14を通ってノズル8、10間で縦方向に延びる。グリッド14は、燃料棒4を横方向にかつ縦方向に支持する。
【００２０】
下側ノズル8は、下側タイプレート16、下側タイプレート16から下方へ延びるスカート19、燃料アセンブリ2に入るクーラントをフィルタにかけるために下側タイプレート16より下にかつスカート19の内部に置かれるデブリフィルタ20、および燃料アセンブリを原子炉炉心の下側プレート上に位置決めするためにスカート19を下方へ延長する足部18を含む。
【００２１】
ノズル8、10は、図1で矢印Fによって示されるような、燃料アセンブリ2を通ってその下側端部から上側端部の方への鉛直クーラント流を可能にするために配置される。
【００２２】
図2で例示される核燃料アセンブリ2は、沸騰水型原子炉(BWR)のためであり、図2では、図1と同じ参照数字は、同様の要素を示す。それは、核燃料棒4の束および管状燃料チャンネル15に入れられた管状水チャンネル13を含む。燃料棒4、水チャンネル13および燃料チャンネル15は、軸Lに平行で縦方向に延びる。
【００２３】
各燃料棒4は、管状被覆材、その被覆材中に積み重ねられた核燃料のペレット、および被覆材の上側端部および下側端部を閉じるキャップを含む。
【００２４】
燃料棒4は、格子状に配置され、水チャンネル13は、格子状の燃料棒4の少なくとも1つを置き換える。燃料チャンネル15は、燃料アセンブリ2の内部を示すために部分的に切り取られ、いくつかの燃料棒は、水チャンネル13を示すために切り取られている。
【００２５】
BWR燃料アセンブリ2は、下側ノズル8、上側ノズル10および水チャンネル13に沿って分配されかつそれに接続された支持用グリッド14を含む。2つのスペーサーグリッド14だけが、図2で見える。スペーサーグリッド14の機能は、燃料棒4間の横方向間隔を維持して燃料棒を軸方向にかつ横方向に保持することである。
【００２６】
燃料棒4、水チャンネル13および燃料チャンネル15は、下側ノズルから上側ノズルまで延び、水チャンネル13および燃料チャンネル15は、下側ノズル8および上側ノズル10を接続する。
【００２７】
下側ノズル8は、下側タイプレート16、下側タイプレート16から下方へ延びるスカート19、燃料アセンブリ2に入るクーラントをフィルタにかけるために下側タイプレート16より下にかつスカート19の内部に置かれるデブリフィルタ20、およびクーラント供給ダクトへの接続のためにスカート19を下方へ延長する管状移行部品21を含む。
【００２８】
ノズル8、10は、図2で矢印Fによって示されるような、燃料アセンブリ2を通ってその下側端部から上側端部の方への鉛直クーラント流を可能にするために配置される。
【００２９】
PWR燃料アセンブリおよびBWR燃料アセンブリに適したデブリフィルタ20は、図3〜図8を参照してさらに詳細に述べられることになる。
【００３０】
図3で例示するように、デブリフィルタ20は、スクリーンの形状であり、下側入口面22および上側出口面24を有する。デブリフィルタ20は、間隔をあけて並んで配置されかつそれらの間にデブリフィルタ20を通って入口面22から出口面24まで延びる流路28を形成する複数のプレート26を含む。
【００３１】
プレート26は、燃料アセンブリ軸Lに垂直な第1の横方向T1に分配される。プレート26は、細長く、第1の横方向T1におよび燃料アセンブリ軸Lに垂直な第2の横方向T2(図4)で互いに平行に延びる。隣接するプレート26の対の各々は、流路28を形成する。
【００３２】
各プレート26は、入口面22と出口面24との間に延びる。各プレート26は、入口面22から延びる下側部分30、出口面24から延びる上側部分32および下側部分30と上側部分32との間に延びる中間部分34を有する。各プレート26は、対向面36を有する。
【００３３】
各流路28は、クーラントがデブリフィルタ20を通って流れることを可能にする。各流路28は、デブリフィルタ20を通る流れ方向Fに流路28を通る直線流路が無いように設けられる。各流路28の出口は、前記流路28の入口から直線的に見ることができない。各流路28は、入口面22から延びる入口セクション40、出口面24から延びる出口セクション42ならびに入口セクション40および出口セクション42に関して側方にオフセットした中間セクション44を含む。
【００３４】
各プレート26は、湾曲している。中間部分34は、下側部分30から上側部分32までうねっている。下側部分30および上側部分32は、実質的に同一平面上にあり、中間部分34は、側方に突出する。中間部分34は、隣接するプレート26の各々の中間部分34で中間セクション44を画定する。
【００３５】
図1で例示するように、デブリフィルタ20は、デブリフィルタ20の正中面に関して対称性を提供するために逆方向に配置された二組のプレート26を含む。
【００３６】
図2で例示するように、デブリフィルタ20は、デブリフィルタ20の正中面でのより大きな中間セクション44を避けるために同じ方向に配置された一組のプレート26を含む。
【００３７】
図3に戻って、各プレート26の下側部分30には、プレート26に沿って配置されると共にプレート26によって画定された少なくとも1つの流路28の中に突出するデブリ捕獲構造部が形成される。デブリ捕獲構造部は、各流路28の入口セクション40で突出する。
【００３８】
図4で例示するように、各プレート26の下側部分30は、プレート26に沿って分配された複数のデブリ捕獲羽根46を備えて形成される。羽根46は、プレート26の下側端部にノッチ48を切り込み、隣接する2つのノッチ48間に形成されるプレート26の部分をねじることによって形成される。各羽根46は、羽根46の下側自由端をプレート26の残りの部分に接続された羽根46の上側固定端に関して前記下側自由端と上側固定端との間に延びる羽根46の正中縦軸の周りで回転させることによってねじられる。各プレート26は、1つの方向にねじられた羽根46ともう一方の方向にねじられた羽根46とを交互に含む。
【００３９】
図5で例示するように、各羽根46は、ねじられることで、各プレート面36から突出する。各羽根46は、対応するプレート26の片方の面36からその面によって画定された流路28の内側へ斜めにかつ下方へ突出する1つの側面部分、およびプレート26のもう一方の面36から前記もう一方の面によって画定された流路28の内側へ斜めにかつ下方へ突出する第2の側面部分を含む。
【００４０】
隣接する一対の羽根46を分離する各ノッチ48は、上方へ、すなわちクーラント流の方向Fに集中するV字形状を示す。
【００４１】
隣接する羽根46の対の各々における隣接する側面の縁部は、隣接する縁部間に画定されたノッチ48の入口が流路28の内側へ斜めにかつ下方へ延びるように同じプレート面36から突出する。各ノッチ48は、前記プレート面36によって画定された流路28の内部でずらされた広い下側端部を有する。
【００４２】
各ノッチ48は、上方へ次第に細くなるデブリ捕獲空間を形成する。
【００４３】
図3および図4で例示するように、デブリフィルタ20は、第1の横方向T1に間隔をあけてプレート26と交差しかつプレート26を保持する複数の接続ストリップ50を含む。
【００４４】
ストリップ50は、細長く、プレート26におよびアセンブリ軸Lに垂直で互いに平行に延びる。ストリップ50は、第1の横方向T1に延び、第2の横方向T2に間隔をあけて分配される。
【００４５】
ストリップ50は、各流路28を第2の横方向T2に複数のチャンネル51(図4)に分割する。各ストリップ50は、羽根46と整合して位置する。各チャンネル51は、ノッチ48と整合して延びる。
【００４６】
図7で例示するように、各プレート26は、プレート26に沿って分配された接続スロット52を含む。各スロット52は、プレート26の上側の縁部から上側部分32および中間部分34を通って下方へ延びる。各スロット52は、プレート26と交差するそれぞれのストリップ50を受け入れるためである。各スロット52は、羽根46と整合してプレート26に沿って位置する。
【００４７】
図6で例示するように、各ストリップ50は、ストリップ50の下側端部に切り込まれた連結用スリット54を提供される。各連結用スリット54は、ストリップ50の下側の縁部をプレート26とインターロックしかつプレート26の下側部分30間の間隔を維持するために、ストリップ50が交差するプレート26のスロット52の閉じた下側端部とロックするように配置される。
【００４８】
各ストリップ50は、ストリップ50の上側の縁部に切り込まれかつ前記上側の縁部に沿って分配された複数のスペーサータブ56を備えて形成される。各スペーサータブ56は、ストリップ50が交差する、隣接する一対のプレート26間の間隔を維持するためである。スペーサータブ56は、ストリップの上側の縁部にスリットを切込み、隣接する2つのスリット間に形成されるストリップ50の部分をねじることによって各ストリップ50に形成される。
【００４９】
図8で例示するように、ねじることの結果として、ストリップ50が交差する、隣接する2つのプレート26間に延びるストリップ50の各スペーサータブ56は、ストリップ50を受け入れる隣接する2つのプレート26のスロット52に対してずらされている。各スペーサータブ56はそれ故に、隣接する2つのプレート26の対向面36が接近することをスロット52の側面に接することによって防止する。
【００５０】
各スペーサータブ56は、隣接する2つのプレート26の上側部分32間の間隔を簡単でかつ信頼できる方法で維持することを可能にする。これは、例えばその上側の縁部において幾何学的に制御された方法でろう付けすることによって接続ストリップ50をプレート26に固定することを可能にする。
【００５１】
別法としてまたは加えて、各ストリップ50は、ストリップ50の上側の縁部の近くに刻印されかつ前記上側の縁部に沿って分配された複数の案内用ダボ58を備えて形成される。各ダボ58は、ストリップ50が交差する、隣接する一対のプレート26間の間隔を維持するためである。各ダボ58はそれ故に、隣接する2つのプレート26の対向面36が接近することをダボ58に接することによって防止する。各ダボ58は、隣接する2つのプレート26の上側部分32間の間隔をより簡単でかつより信頼できる方法で維持することを可能にする。
【００５２】
図6〜図8の実施形態では、各ストリップ50は、ストリップ50に沿って片方の面から突出するダボ58ともう一方の面から突出するダボ58とを交互に含む。代替実施形態では、ダボ58は、例えばストリップ50の2つの面の片方から突出する。
【００５３】
動作時には、クーラントは、デブリフィルタ20を通って入口面22から出口面24へ流れる。クーラントは、流路28の入口セクション40、中間セクション44および出口セクション42を連続して通って流れる。入口セクション40では、クーラント流に存在する薄いデブリは、羽根46間のノッチ48に挟まれる。各ノッチ48は、くさび止め効果によってデブリを、特に柔軟なワイヤを捕獲するのに適している。ノッチ48の広い下側端部に入る柔軟なワイヤは、ノッチ48の狭い上側端部に挟まれることになる。
【００５４】
細長いデブリはさらに、各流路28の非直線的形状に起因して中間セクション44で捕捉される。ねじった羽根46は、羽根46を通る細長いデブリを流れ方向Fに整列させる傾向があり、それ故に中間セクション44でのこれらの細長いデブリの捕捉を改善する。
【００５５】
その上、各流路28を複数のチャンネル51に分割するストリップ50は、第2の横方向T2に配向されたデブリが流路28を通り抜けるのを防止する。
【００５６】
図9で例示される代替実施形態は、各プレート26が同じ方向にねじられた隣接する羽根46を含むという点で図3〜図8の実施形態と異なる。ノッチ48はそれ故に、より広い下側端部を有する。
【００５７】
図10で例示される代替実施形態は、各プレート26が、プレート26の残りの部分に接続されたその上側端部に沿ってプレート面36から斜めにかつ下方へ突出するような方向にそれぞれ曲げられた羽根46を含むという点で図3〜図8の実施形態と異なる。各プレート26は、反対方向に曲げられた隣接羽根46を有し、各プレート26は、1つのプレート面36から突出する羽根46と反対側のプレート面36から突出する羽根46とを交互に有する。ノッチ48はそれ故に、より広い下側端部を有する。
【００５８】
図11および図12の代替実施形態は、羽根が各プレート26に沿って分配されたデブリ捕獲歯60に置き換えられるという点で図3〜図10の実施形態と異なる。歯60は、各プレート26の下側部分30に切り込まれる。各歯60は、1つのプレート面36から、そのプレート面36から離れて斜めにかつ下方へ突出する。各歯60は、2つの接続ストリップ50間に画定されたチャンネル51と整合して位置する。
【００５９】
プレート26の1つの面36から突出する歯60の各組は、前記面によって画定された流路28にフィルタ用のくしを形成する。各歯60は、歯60とプレート26の下側部分30との間にデブリを挟むために、下側部分30で上方へ次第に細くなる空間62(図11)を画定する。
【００６０】
図11および図12で例示するように、プレート26は、1つのプレート面36から突き出る歯60と反対側のプレート面36から突出する歯60とを交互に含む。代替実施形態では、各プレート26は、同じプレート面36から突出する隣接する歯60を含む。
【００６１】
本発明のデブリフィルタは、加圧水型原子炉(PWR)燃料アセンブリまたは沸騰水型原子炉(BWR)燃料アセンブリに適用される。より一般的には、それはまた、任意の水冷式原子炉燃料アセンブリで、例えばVVER(ロシア型加圧水型原子炉(Water-Water Energetic Reactor))燃料アセンブリのために使用されてもよい。
【符号の説明】
【００６２】
2  核燃料アセンブリ
4  燃料棒
6  燃料棒を支持するための構造物
8  下側ノズル
10  上側ノズル
12  ガイドチューブ
13  水チャンネル
14  支持用グリッド、スペーサーグリッド
15  燃料チャンネル
16  下側タイプレート
18  足部
19  スカート
20  デブリフィルタ
21  移行部品
22  下側入口面
24  上側出口面
26  プレート
28  流路
30  下側部分
32  上側部分
34  中間部分
36  プレート面
40  入口セクション
42  出口セクション
44  中間セクション
46  羽根
48  ノッチ
50  接続ストリップ
51  チャンネル
52  接続スロット
54  連結用スリット
56  スペーサータブ
58  ダボ
60  歯
62  上方へ次第に細くなる空間
F  クーラント流の方向
L  核燃料アセンブリの縦軸
T1  第1の横方向
T2  第2の横方向
【図１】
2014519032.tif 000003
【図２】
2014519032.tif 000004
【図３】
2014519032.tif 000005
【図４】
2014519032.tif 000006
【図５】
2014519032.tif 000007
【図６】
2014519032.tif 000008
【図７】
2014519032.tif 000009
【図８】
2014519032.tif 000010
【図９】
2014519032.tif 000011
【図１０】
2014519032.tif 000012
【図１１】
2014519032.tif 000013
【図１２】
2014519032.tif 000014
【国際調査報告】
2014519032.tif 000015
2014519032.tif 000016
2014519032.tif 000017